(57)【要約】【課題】一時保留部に保留された後に機体外に返却された紙葉類が使用済みであると勘違いされることを防止することができるとともに、機体外に返却された紙葉類を紙葉類処理機に再投入した場合でも精度良く識別を行うことができる紙葉類処理機および処理方法を提供する。【解決手段】紙葉類処理機１０、４０は、識別部１６、４６により識別された紙葉類を一時的に保留する一時保留部（入金一時保留部）２０、５０、５１と、一時保留部２０、５０、５１に保留された紙葉類のうち、機体外に返却される紙葉類以外の紙葉類に対して、使用済みであることが視認可能となるよう加工を行う加工部２６、５６、５７と、を備えている。【選択図】図２
2014044665.tif 000002
【特許請求の範囲】
【請求項１】
紙葉類の処理を行う紙葉類処理機であって、
機体内に投入された紙葉類の識別を行う識別部と、
前記識別部により識別された紙葉類を一時的に保留する一時保留部と、
前記一時保留部に保留された紙葉類のうち、機体外に返却される紙葉類以外の紙葉類に対して、使用済みであることが視認可能となるよう加工を行う加工部と、
を備えた、紙葉類処理機。
【請求項２】
紙葉類を収納する収納部を更に備え、
前記加工部は、紙葉類の搬送路における前記一時保留部と前記収納部との間の箇所に設けられている、請求項１記載の紙葉類処理機。
【請求項３】
前記加工部は前記一時保留部内に設けられている、請求項１記載の紙葉類処理機。
【請求項４】
紙葉類処理機により紙葉類の処理を行う処理方法であって、
前記紙葉類処理機の機体内に投入された紙葉類の識別を行う工程と、
識別された紙葉類を一時的に保留する工程と、
一時的に保留された紙葉類のうち、前記紙葉類処理機の機体外に返却される紙葉類以外の紙葉類に対して、使用済みであることが視認可能となるよう加工を行う工程と、
を備えた、処理方法。
【発明の詳細な説明】
【技術分野】
【０００１】
本発明は、商品券、小切手、クーポン券等の紙葉類（金券類）の処理を行う紙葉類処理機および紙葉類処理機により紙葉類の処理を行う処理方法に関する。
【背景技術】
【０００２】
従来から、商品券、小切手、クーポン券等の紙葉類（金券類）の処理を行う紙葉類処理機として、様々なタイプのものが知られている。例えば、特許文献１には、商品券やギフト券等の金券類の回収処理を行う金券処理システムが開示されている。
【０００３】
一般的に、紙葉類の処理を行う紙葉類処理機は、機体内に投入された紙葉類の識別を行う識別部と、識別部により識別された紙葉類を一時的に保留する一時保留部とを有している。また、従来の紙葉類処理機では、機体内の紙葉類の搬送路における識別部と一時保留部との間の箇所に加工部（廃券処理装置）が設けられており、このような加工部により、識別部により識別された紙葉類に、当該紙葉類が使用済みであることが視認可能となるような加工が行われるようになっている。加工部としては、例えば、紙葉類にスタンプを押すようなスタンプ機構や、紙葉類に穴を開けるような穴空け機構が用いられる。
【先行技術文献】
【特許文献】
【０００４】
【特許文献１】特許第３６３５４２４号
【発明の概要】
【発明が解決しようとする課題】
【０００５】
従来の紙葉類処理機では、紙葉類が一時保留部に一時的に保留された後、操作者が紙葉類処理機に設けられた操作部により「確定」の指令を入力することによって、一時保留部に一時的に保留された紙葉類が、紙葉類処理機の機体内に設けられた収納部に搬送され、当該収納部に収納されるようになる。一方、紙葉類が一時保留部に一時的に保留された後、操作者が紙葉類処理機に設けられた操作部により「確定」の指令を入力する代わりに「返却」の指令を入力した場合は、一時保留部に一時的に保留された紙葉類が紙葉類処理機の機体外にそのまま返却されるようになる。しかしながら、従来では、紙葉類処理機の機体外に返却された紙葉類にも、加工部によって、使用済みであることを示すスタンプが押されたり穴が開けられたりしているため、このような紙葉類は使用済みであると勘違いされたり、また、返却された紙葉類を紙葉類処理機に再投入した場合、使用済みであることを示すスタンプや穴が阻害要因となってしまい、識別部による紙葉類の識別を精度良く行うことができなくなるおそれがある。
【０００６】
本発明は、このような点を考慮してなされたものであり、一時保留部に一時的に保留された紙葉類のうち、紙葉類処理機の機体外に返却される紙葉類以外の紙葉類に対して、使用済みであることが視認可能となるよう加工を行うことにより、機体外に返却された紙葉類には、使用済みであることが視認可能となるような加工は行われなくなり、このことにより、一時保留部に保留された後に機体外に返却された紙葉類が使用済みであると勘違いされることを防止することができるとともに、機体外に返却された紙葉類を紙葉類処理機に再投入した場合でも精度良く識別を行うことができる紙葉類処理機および処理方法を提供することを目的とする。
【課題を解決するための手段】
【０００７】
本発明の紙葉類処理機は、紙葉類の処理を行う紙葉類処理機であって、機体内に投入された紙葉類の識別を行う識別部と、前記識別部により識別された紙葉類を一時的に保留する一時保留部と、前記一時保留部に保留された紙葉類のうち、機体外に返却される紙葉類以外の紙葉類に対して、使用済みであることが視認可能となるよう加工を行う加工部と、を備えている。
【０００８】
このような紙葉類処理機によれば、識別部により識別された紙葉類を一時的に保留する一時保留部が設けられているとともに、一時保留部に保留された紙葉類のうち、機体外に返却される紙葉類以外の紙葉類に対して、使用済みであることが視認可能となるよう加工を行う加工部が設けられている。このことによって、一時保留部に一時的に保留されたが、その後機体内に収納されることなく機体外に返却される紙葉類には、加工部による加工は行われないようになる。このように、機体外に返却された紙葉類には、使用済みであることが視認可能となるような加工は行われなくなるため、一時保留部に保留された後に機体外に返却された紙葉類が使用済みであると勘違いされることを防止することができる。また、機体外に返却された紙葉類を紙葉類処理機に再投入した場合でも精度良く識別を行うことができる。
【０００９】
本発明の紙葉類処理機は、紙葉類を収納する収納部を更に備え、前記加工部は、紙葉類の搬送路における前記一時保留部と前記収納部との間の箇所に設けられていてもよい。
【００１０】
あるいは、前記加工部は前記一時保留部内に設けられていてもよい。
【００１１】
本発明の処理方法は、紙葉類処理機により紙葉類の処理を行う処理方法であって、前記紙葉類処理機の機体内に投入された紙葉類の識別を行う工程と、識別された紙葉類を一時的に保留する工程と、一時的に保留された紙葉類のうち、前記紙葉類処理機の機体外に返却される紙葉類以外の紙葉類に対して、使用済みであることが視認可能となるよう加工を行う工程と、を備えている。
【００１２】
このような処理方法によれば、識別された紙葉類を一時的に保留した後、一時的に保留された紙葉類のうち、紙葉類処理機の機体外に返却される紙葉類以外の紙葉類に対して、使用済みであることが視認可能となるよう加工を行うようになっている。このことによって、一時保留部に一時的に保留されたが、その後機体内に収納されることなく機体外に返却される紙葉類には、加工部による加工は行われないようになる。このように、機体外に返却された紙葉類には、使用済みであることが視認可能となるような加工は行われなくなるため、一時保留部に保留された後に機体外に返却された紙葉類が使用済みであると勘違いされることを防止することができる。また、機体外に返却された紙葉類を紙葉類処理機に再投入した場合でも精度良く識別を行うことができる。
【発明の効果】
【００１３】
本発明の紙葉類処理機および処理方法によれば、一時保留部に保留された後に機体外に返却された紙葉類が使用済みであると勘違いされることを防止することができるとともに、機体外に返却された紙葉類を紙葉類処理機に再投入した場合でも精度良く識別を行うことができる。
【図面の簡単な説明】
【００１４】
【図１】本発明の実施の形態における紙葉類処理機の構成の概略を示す概略構成図である。
【図２】図１に示す紙葉類処理機による紙葉類の処理方法を示すフローチャートである。
【図３】本発明の実施の形態における紙葉類処理機の他の構成の概略を示す概略構成図である。
【図４】図３に示す紙葉類処理機による紙葉類の処理方法を示すフローチャートである。
【発明を実施するための形態】
【００１５】
以下、図面を参照して本発明の実施の形態について説明する。図１は、本実施の形態における紙葉類処理機の構成の概略を示す概略構成図であり、図２は、図１に示す紙葉類処理機による紙葉類の処理方法を示すフローチャートである。本実施の形態による紙葉類処理機は、商品券、小切手、クーポン券等の紙葉類（金券類）の処理を行うようになっている。
【００１６】
図１に示す紙葉類処理機１０は、紙葉類を機体の外部から内部に投入するための投入部１２と、投入部１２により機体内に投入された紙葉類を機体内で１枚ずつ搬送する搬送部１４と、搬送部１４により搬送される紙葉類の識別を行う識別部１６と、を備えている。投入部１２には、操作者によって当該投入部１２に積層状態で載置された１または複数の紙葉類を１枚ずつ機体内に繰り出す繰出機構（図示せず）が設けられている。識別部１６は、例えばラインセンサを有しており、このようなラインセンサにより紙葉類の表面の画像をスキャンするようになっている。
【００１７】
また、紙葉類処理機１０には入金リジェクト部１８が設けられており、この入金リジェクト部１８は搬送部１４に接続されている。入金リジェクト部１８には、識別部１６により識別することができなかった紙葉類や、識別部１６により識別されたが正常な紙葉類ではない紙葉類であると判断されたリジェクト紙葉類が搬送部１４により送られるようになっている。入金リジェクト部１８に送られた紙葉類は操作者が機体外に取り出し可能となっている。また、紙葉類処理機１０には入金一時保留部２０が設けられており、この入金一時保留部２０は搬送部１４に接続されている。識別部１６により正常な紙葉類であると識別された紙葉類は、搬送部１４により入金一時保留部２０に送られ、この入金一時保留部２０で一時的に保留されるようになっている。入金一時保留部２０としては、搬送部１４から送られた紙葉類が積層状態で収納されるとともに、収納された紙葉類を繰出ローラ（図示せず）で搬送部１４に繰り出すようなスタッカ式のものが用いられるようになっている。なお、入金一時保留部２０に一時的に保留された紙葉類は、操作者が当該入金一時保留部２０内にアクセスすることにより、機体外に取り出すことができるようになっている。また、入金一時保留部２０として、スタッカ式のものの代わりに、一対のテープの間に紙葉類を挟んでドラムに一対のテープごと巻き取ることにより紙葉類を収納するとともに、ドラムに巻き取られた一対のテープを当該ドラムから巻き出すことにより紙葉類を繰り出すようなテープ式のものが用いられてもよい。
【００１８】
また、紙葉類処理機１０には、２つの収納庫２２、２４が設けられており、各収納庫２２、２４には搬送部１４がそれぞれ接続されている。入金一時保留部２０で一時的に保留された紙葉類は、搬送部１４により各収納庫２２、２４に送られ、これらの各収納庫２２、２４に積層状態で収納されるようになる。なお、各収納庫２２、２４には例えば種類別に紙葉類が収納されるようになっている。具体的には、例えば、収納庫２２には商品券が収納され、収納庫２４には商品券以外の紙葉類である小切手、クーポン券等が収納されるようになっている。
【００１９】
本実施の形態の紙葉類処理機１０では、図１に示すように、搬送部１４における入金一時保留部２０と各収納庫２２、２４との間の箇所には加工部２６が設けられている。このような加工部２６により、入金一時保留部２０から各収納庫２２、２４に搬送される紙葉類に、当該紙葉類が使用済みであることが視認可能となるような加工が行われるようになっている。加工部２６としては、例えば、紙葉類にスタンプを押すようなスタンプ機構や、紙葉類に穴を開けるような穴空け機構が用いられる。加工部２６によって紙葉類にスタンプを押したり穴を開けたりすることにより、使用済みであることが視認可能となるよう加工を行うことを、「消し込み」ともいう。なお、加工部２６の他の例として、紙葉類にインキ等のマークを付けるようなマーク付け機構を用いてもよい。また、紙葉類が小切手である場合には、加工部２６として、当該小切手に印字を行うような印字機構を用いてもよい。
【００２０】
次に、このような構成からなる紙葉類処理機１０の動作（具体的には、紙葉類処理機１０による紙葉類の処理方法）について、図２に示すフローチャートを参照して以下に説明する。
【００２１】
まず、操作者が投入部１２に紙葉類を積層状態で載置する。そして、図示しない操作部により処理開始の指令を操作者が紙葉類処理機１０に与えると、投入部１２に載置された紙葉類は、当該投入部１２に設けられた繰出機構（図示せず）により１枚ずつ機体内に繰り出される（ＳＴＥＰ１）。機体内に繰り出された紙葉類は１枚ずつ搬送部１４により搬送され、識別部１６により識別される（ＳＴＥＰ２）。識別部１６により正常な紙葉類であると識別された紙葉類は（ＳＴＥＰ３の「ＹＥＳ」）、搬送部１４により入金一時保留部２０に搬送され、この入金一時保留部２０で一時的に保留される（ＳＴＥＰ４）。一方、識別部１６により識別することができなかった紙葉類、および識別部１６により識別されたが正常な紙葉類ではない紙葉類であると判断されたリジェクト紙葉類は（ＳＴＥＰ３の「ＮＯ」）、搬送部１４により入金リジェクト部１８に搬送され（ＳＴＥＰ５）、この入金リジェクト部１８により機体外に返却されるようになる。
【００２２】
このような動作は投入部１２に載置された全ての紙葉類が機体内に取り込まれるまで行われる（ＳＴＥＰ６の「ＮＯ」）。そして、投入部１２に載置された全ての紙葉類が機体内に取り込まれると（ＳＴＥＰ６の「ＹＥＳ」）、紙葉類処理機１０に設けられた図示しない表示部に、入金一時保留部２０に一時的に保留された紙葉類に係る情報（例えば、保留された紙葉類の枚数や合計金額等）が表示されるとともに、操作者に対して「確定」または「返却」の指令の入力を求めるメッセージが表示される。そして、操作者が図示しない操作部により「確定」の指令を入力すると（ＳＴＥＰ７の「ＹＥＳ」）、入金一時保留部２０から紙葉類が１枚ずつ搬送部１４に繰り出され（ＳＴＥＰ９）、加工部２６により消し込みが行われる（ＳＴＥＰ１０）。前述したように、「消し込み」とは、加工部２６によって紙葉類にスタンプを押したり穴を開けたりすることにより、使用済みであることが視認可能となるよう加工を行うことをいう。そして、消し込みが行われた紙葉類は、搬送部１４により各収納庫２２、２４に搬送され（ＳＴＥＰ１１）、これらの各収納庫２２、２４に収納される。このような動作は入金一時保留部２０から全ての紙葉類が各収納庫２２、２４に搬送されるまで行われる（ＳＴＥＰ１２の「ＮＯ」）。そして、入金一時保留部２０から全ての紙葉類が各収納庫２２、２４に搬送されると（ＳＴＥＰ１２の「ＹＥＳ」）、紙葉類処理機１０における紙葉類の処理が終了する。一方、図示しない表示部に、操作者に対して「確定」または「返却」の指令の入力を求めるメッセージが表示されているときに、操作者が図示しない操作部により「返却」の指令を入力すると（ＳＴＥＰ７の「ＮＯ」）、入金一時保留部２０内の紙葉類が機体外に返却されるようになる（ＳＴＥＰ８）。ここで、加工部２６は搬送部１４における入金一時保留部２０と各収納庫２２、２４との間の箇所に設けられているため、「返却」の指令が入力されることにより入金一時保留部２０から機体外に返却される紙葉類には、「消し込み」は行われない。
【００２３】
以上のように本実施の形態の紙葉類処理機１０によれば、識別部１６により識別された紙葉類を一時的に保留する入金一時保留部２０が設けられているとともに、入金一時保留部２０に保留された紙葉類のうち、機体外に返却される紙葉類以外の紙葉類、すなわち各収納庫２２、２４に収納されるべき紙葉類に対して、使用済みであることが視認可能となるよう加工を行う加工部２６が設けられている。このことによって、入金一時保留部２０に一時的に保留されたが、その後各収納庫２２、２４に収納されることなく機体外に返却される紙葉類には、加工部２６による加工は行われないようになる。このように、機体外に返却された紙葉類には、使用済みであることが視認可能となるような加工は行われなくなるため、入金一時保留部２０に保留された後に機体外に返却された紙葉類が使用済みであると勘違いされることを防止することができる。また、機体外に返却された紙葉類を紙葉類処理機１０に再投入した場合でも精度良く識別を行うことができる。
【００２４】
また、本実施の形態の紙葉類処理機１０では、加工部２６は、搬送部１４における入金一時保留部２０と各収納庫２２、２４との間の箇所に設けられている。しかしながら、本発明では、加工部２６の設置箇所はこのような箇所に限定されることはない。加工部の設置箇所の他の例については後述する。
【００２５】
また、図１に示す紙葉類処理機１０では、加工部２６の数は１つとなっているが、このような例に限定されることはない。加工部が各収納庫２２、２４に対応して複数（具体的には、例えば２つ）設けられていてもよい。この場合には、入金一時保留部２０から搬送部１４に繰り出された紙葉類は、各収納庫２２、２４に対応する加工部で「消し込み」が行われた後、この加工部に対応する各収納庫２２、２４に収納されるようになる。
【００２６】
本実施の形態による紙葉類処理機の変形例について、図３を用いて説明する。図３に示す紙葉類処理機４０は、図１に示す紙葉類処理機１０と類似の構成となっているが、入金一時保留部５０、５１が各収納庫５２、５４に対応して複数設けられている点が図１に示す紙葉類処理機１０と異なっている。このような紙葉類処理機４０の構成について以下に説明する。
【００２７】
図３に示す紙葉類処理機４０は、紙葉類を機体の外部から内部に投入するための投入部４２と、投入部４２により機体内に投入された紙葉類を機体内で１枚ずつ搬送する搬送部４４と、搬送部４４により搬送される紙葉類の識別を行う識別部４６と、を備えている。投入部４２には、操作者によって当該投入部４２に積層状態で載置された１または複数の紙葉類を１枚ずつ機体内に繰り出す繰出機構（図示せず）が設けられている。識別部４６は、例えばラインセンサを有しており、このようなラインセンサにより紙葉類の表面の画像をスキャンするようになっている。
【００２８】
また、紙葉類処理機４０には入金リジェクト部４８が設けられており、この入金リジェクト部４８は搬送部４４に接続されている。入金リジェクト部４８には、識別部４６により識別することができなかった紙葉類や、識別部４６により識別されたが正常な紙葉類ではない紙葉類であると判断されたリジェクト紙葉類が搬送部４４により送られるようになっている。入金リジェクト部４８に送られた紙葉類は操作者が機体外に取り出し可能となっている。また、紙葉類処理機４０には、２つの収納庫５２、５４が設けられているとともに、これらの２つの収納庫５２、５４にそれぞれ対応するよう２つの入金一時保留部５０、５１が設けられている。各入金一時保留部５０、５１はそれぞれ搬送部４４に接続されており、識別部４６により正常な紙葉類であると識別された紙葉類は、搬送部４４により各入金一時保留部５０、５１に送られ、各入金一時保留部５０、５１で一時的に保留されるようになっている。入金一時保留部５０、５１としては、搬送部４４から送られた紙葉類が積層状態で収納されるスタッカ式のものが用いられるようになっている。なお、各入金一時保留部５０、５１には、収納された紙葉類を繰り出すための繰出ローラは設けられておらず、代わりに、図示しない操作部によって操作者により「確定」の指令が入力されたときに、各入金一時保留部５０、５１に積層状態で収納された紙葉類は下方に落とされて各収納庫５２、５４に積層状態で収納されるような態様となっている。また、各入金一時保留部５０、５１に一時的に保留された紙葉類は、操作者がこれらの入金一時保留部５０、５１内にアクセスすることにより、機体外に取り出すことができるようになっている。
【００２９】
図３に示す紙葉類処理機４０では、各入金一時保留部５０、５１にそれぞれ加工部５６、５７が設けられている。これらの加工部５６、５７により、各入金一時保留部５０、５１に保留されている紙葉類に、当該紙葉類が使用済みであることが視認可能となるような加工が行われるようになっている。より詳細には、各加工部５６、５７は、各入金一時保留部５０、５１に積層状態で収納されている複数の紙葉類の側縁部に沿って鉛直方向に移動するローラを有しており、このローラにインキを付け、インキが付けられたローラを複数の紙葉類の側縁部に沿って鉛直方向に移動させることにより、各入金一時保留部５０、５１に収納されている各紙葉類の側縁部にインキをまとめて付けるようなものとなっている。なお、各入金一時保留部５０、５１に設けられた各加工部５６、５７の他の構成例としては、各入金一時保留部５０、５１に積層状態で収納されている複数の紙葉類を上下方向に貫通するような穴をまとめて開ける穴空け機構が用いられてもよい。また、加工部５６、５７によって各入金一時保留部５０、５１に保留されている紙葉類に加工が行われるのは、図示しない操作部によって操作者により「確定」の指令が入力された後となっている。
【００３０】
次に、このような構成からなる紙葉類処理機４０の動作（具体的には、紙葉類処理機４０による紙葉類の処理方法）について、図４に示すフローチャートを参照して以下に説明する。
【００３１】
まず、操作者が投入部４２に紙葉類を積層状態で載置する。そして、図示しない操作部により処理開始の指令を操作者が紙葉類処理機４０に与えると、投入部４２に載置された紙葉類は、当該投入部４２に設けられた繰出機構（図示せず）により１枚ずつ機体内に繰り出される（ＳＴＥＰ２１）。機体内に繰り出された紙葉類は１枚ずつ搬送部４４により搬送され、識別部４６により識別される（ＳＴＥＰ２２）。識別部４６により正常な紙葉類であると識別された紙葉類は（ＳＴＥＰ２３の「ＹＥＳ」）、搬送部４４により各入金一時保留部５０、５１に搬送され、これらの入金一時保留部５０、５１で一時的に保留される（ＳＴＥＰ２４）。一方、識別部４６により識別することができなかった紙葉類、および識別部４６により識別されたが正常な紙葉類ではない紙葉類であると判断されたリジェクト紙葉類は（ＳＴＥＰ２３の「ＮＯ」）、搬送部４４により入金リジェクト部４８に搬送され（ＳＴＥＰ２５）、この入金リジェクト部４８により機体外に返却されるようになる。
【００３２】
このような動作は投入部４２に載置された全ての紙葉類が機体内に取り込まれるまで行われる（ＳＴＥＰ２６の「ＮＯ」）。そして、投入部４２に載置された全ての紙葉類が機体内に取り込まれると（ＳＴＥＰ２６の「ＹＥＳ」）、紙葉類処理機４０に設けられた図示しない表示部に、入金一時保留部５０、５１に一時的に保留された紙葉類に係る情報（例えば、保留された紙葉類の枚数や合計金額等）が表示されるとともに、操作者に対して「確定」または「返却」の指令の入力を求めるメッセージが表示される。そして、操作者が図示しない操作部により「確定」の指令を入力すると（ＳＴＥＰ２７の「ＹＥＳ」）、各入金一時保留部５０、５１に設けられた加工部５６、５７により、各入金一時保留部５０、５１に保留されている紙葉類に「消し込み」を行う（ＳＴＥＰ２９）。より詳細には、例えば、各加工部５６、５７によって、各入金一時保留部５０、５１に積層状態で収納されている複数の紙葉類の各々の側縁部にインキを付ける。そして、各入金一時保留部５０、５１に保留されている紙葉類に「消し込み」が行われると、各入金一時保留部５０、５１から各収納庫５２、５４に紙葉類が一括して送られる（ＳＴＥＰ３０）。このようにして、紙葉類処理機４０における紙葉類の処理が終了する。一方、図示しない表示部に、操作者に対して「確定」または「返却」の指令の入力を求めるメッセージが表示されているときに、操作者が図示しない操作部により「返却」の指令を入力すると（ＳＴＥＰ２７の「ＮＯ」）、入金一時保留部５０、５１内の紙葉類が機体外に返却されるようになる（ＳＴＥＰ２８）。ここで、加工部５６、５７によって各入金一時保留部５０、５１に保留されている紙葉類に加工が行われるのは、操作者によって図示しない操作部により「確定」の指令が入力された後となっているため、「返却」の指令が入力されることにより各入金一時保留部５０、５１から機体外に返却される紙葉類には、「消し込み」は行われない。
【００３３】
以上のように図３に示すような紙葉類処理機４０によれば、識別部４６により識別された紙葉類を一時的に保留する入金一時保留部５０、５１が設けられているとともに、入金一時保留部５０、５１に保留された紙葉類のうち、機体外に返却される紙葉類以外の紙葉類、すなわち各収納庫５２、５４に収納されるべき紙葉類に対して、使用済みであることが視認可能となるよう加工を行う加工部５６、５７が設けられている。このことによって、入金一時保留部５０、５１に一時的に保留されたが、その後各収納庫５２、５４に収納されることなく機体外に返却される紙葉類には、加工部５６、５７による加工は行われないようになる。このように、機体外に返却された紙葉類には、使用済みであることが視認可能となるような加工は行われなくなるため、入金一時保留部５０、５１に保留された後に機体外に返却された紙葉類が使用済みであると勘違いされることを防止することができる。また、機体外に返却された紙葉類を紙葉類処理機４０に再投入した場合でも精度良く識別を行うことができる。
【００３４】
また、図３に示す紙葉類処理機４０では、前述のように、各加工部５６、５７は、各入金一時保留部５０、５１内に設けられるようになる。
【００３５】
なお、本発明では、紙葉類に対して使用済みであることが視認可能となるよう加工を行う加工部を、紙葉類の搬送路における入金一時保留部と収納部との間の箇所や入金一時保留部内に設ける代わりに、紙葉類が収納される収納庫（図１に示す紙葉類処理機１０における各収納庫２２、２４や図３に示す紙葉類処理機４０における各収納庫５２、５４等）に設置してもよい。この場合には、紙葉類が収納庫に収納された後、収納された紙葉類に対して加工部により「消し込み」が行われるようになる。
【００３６】
また、図１に示す紙葉類処理機１０や図３に示す紙葉類処理機４０のように収納庫が２個設置されている場合には、一方の収納庫に、自店で廃棄される自店精算券を収納し、他方の収納庫に、管理センターへ送付する必要がある他店精算券を収納するようにしてもよい。この場合には、各収納庫に自店精算券や他店精算券を収納した後の処理が簡単になるという利点がある。また、更なる変形例に係る紙葉類処理機において、収納庫の個数を１個としてもよい。この場合には、紙葉類処理機に受け付けられた紙葉類は収納庫に混合収納されるようになる。また、更なる変形例に係る紙葉類処理機において、収納庫を設置せず、代わりに、加工処理済の紙葉類を外付けの回収容器（例えば、袋やボックス）に排出するようにしてもよい。
【００３７】
また、本発明による紙葉類処理機は、レジに近接して配置され、レジ担当者が買い物客から受け取った商品券を処理するフロント機器としての紙葉類処理装置にも適用することができる。あるいは、本発明による紙葉類処理機は、店舗の事務所等に配置され、各レジから回収された商品券をまとめて処理する後方機としての紙葉類処理装置にも適用することができる。
【符号の説明】
【００３８】
１０  紙葉類処理機
１２  投入部
１４  搬送部
１６  識別部
１８  入金リジェクト部
２０  入金一時保留部
２２、２４  収納庫
２６  加工部
４０  紙葉類処理機
４２  投入部
４４  搬送部
４６  識別部
４８  入金リジェクト部
５０、５１  入金一時保留部
５２、５４  収納庫
５６、５７  加工部
【図１】
2014044665.tif 000003
【図２】
2014044665.tif 000004
【図３】
2014044665.tif 000005
【図４】
2014044665.tif 000006